(57)【要約】【課題】  電子機器に加わる振動を検知して所定の復帰動作を自動的に行う電子機器の復帰装置を提供する。【解決手段】  移動などにより振動が加えられると、振動検知センサ３の振動子３１が転倒して接触端子３２に接触して接触端子３２が接地電位になることにより振動が加わったことが検出され、ＣＰＵ１はその接地電位を判別して清掃機構９を動作させて、画像形成装置１０の動作を復帰させる。【選択図】      図３
2005275039.tif 000002
【特許請求の範囲】
【請求項１】
電子機器に加えられた振動を検知するための振動検知手段と、
前記振動検知手段によって振動が検知されたことを記憶する記憶手段と、
前記記憶手段が振動を検知したことを記憶していることに応じて、前記電子機器を所定の動作に復帰させる動作復帰手段とを備えた、電子機器の復帰装置。
【請求項２】
前記振動検知手段と前記記憶手段は、電源が遮断されている状態で振動を検知して記憶し、
前記動作復帰手段は、電源投入後に前記記憶手段の記憶状態に応じて、前記電子機器を所定の状態に自動復帰させる、請求項１に記載の電子機器の復帰装置。
【請求項３】
前記振動検知手段は、振動が与えられると転倒する振動子と、前記振動子が転倒したときに接触する接触端子とを含み、前記記憶手段を兼ねる、請求項１または２に記載の電子機器の復帰装置。
【請求項４】
前記動作復帰手段は、電源投入後に前記振動子を所定の電位にしたとき、前記接触端子に前記所定の電位が生じていれば振動が生じたものと判断する、請求項３に記載の電子機器の復帰装置。
【請求項５】
前記振動検知手段は、前記動作復帰手段による復帰動作後に前記転倒している振動子を直立させるリセット手段を含む、請求項３に記載の電子機器の復帰装置。
【請求項６】
前記振動検知手段は、
振動が与えられると電流を発生するコイルと、
前記コイルから発生した電流を記憶する記憶手段とを含む、請求項１または２に記載の電子機器の復帰装置。
【発明の詳細な説明】
【技術分野】
【０００１】
この発明は電子機器の復帰装置に関し、例えば、装置を移動させたときの振動を検知し、電源投入後に通常動作に復帰させる電子機器の復帰装置に関する。
【背景技術】
【０００２】
複写機やプリンタなどの電子機器としての画像形成装置は、転写／分離機構にトナーが付着していると転写不良などの不具合が発生する。このために画像形成装置内には、清掃機構が設けられていて、何千枚分のコピーを行うごとなどの所定のタイミングでベルトなどに付着しているトナーを除去するための清掃を行うようになっている。
【０００３】
一方、画像形成装置本体を移動させた場合、振動が加わる結果、現像機やトナー回収機構からトナーが搬送路や転写／分離機構に落ちることがある。しかし、清掃機構は所定のタイミングでしか清掃を行わないようになっているので、画像形成装置を移動させた後、コピーを行うと用紙にトナーが付着して汚してしまうことがある。
【０００４】
そこで、装置を移動させたときの振動を検知して清掃機構を動作させることが考えられる。特開２００３−０５０６０１号公報（特許文献１）には、振動があると装置の電源を遮断し、同時に振動センサからの電流でラッチ機構付のリレーをオンにしてその状態でラッチするシステムについて記載されている。このシステムでは、電源復帰時にリレーがオン状態であるときは、振動で電源が切断されたと認識し、警報出力を行って装置を停止させる。そして、オペレータが異常状態の対処を行ってから装置の電源をオンすると、リレーをオフにして装置を動作させている。
【特許文献１】特開２００３−０５０６０１号公報（段落番号００４８、図２）
【発明の開示】
【発明が解決しようとする課題】
【０００５】
上記特許文献１に記載されたシステムでは、電源が投入されている状態で振動を検知するものであり、電源が遮断されている状態では、振動センサに電源が供給されていないので、振動を検知することができない。また、電源が投入されているときに振動を検知できてもその後、自動的に復帰できるようにされていない。
【０００６】
そこで、この発明は、電子機器に加わる振動を検知して所定の状態に復帰動作を自動的に行う電子機器の復帰装置を提供することである。
【課題を解決するための手段】
【０００７】
この発明は、振動を検知するための振動検知手段と、振動検知手段によって振動が検知されたことを記憶する記憶手段と、記憶手段が振動を検知したことを記憶していることに応じて、所定の状態に自動復帰させる動作復帰手段とを備える。
【０００８】
好ましくは、振動検知手段と記憶手段は、電源が遮断されている状態で振動を検知して記憶し、動作復帰手段は電源投入後に記憶手段の記憶状態に応じて所定の動作に復帰させる。
【０００９】
好ましくは、振動検知手段は、振動が与えられると転倒する振動子と、前記振動子が転倒したときに接触する接触端子とを含み、前記記憶手段を兼ねる。
【００１０】
好ましくは、動作復帰手段は電源投入後に前記振動子を所定の電位にしたとき、接触端子に所定の電位が生じていれば振動が生じたものと判断する。
【００１１】
好ましくは、振動検知手段は動作復帰手段による復帰動作後に転倒している振動子を直立させるリセット手段を含む。
【００１２】
好ましくは、振動検知手段は振動が与えられると電流を発生するコイルと、コイルから発生した電流を記憶する記憶手段とを含む。
【発明の効果】
【００１３】
この発明によれば、振動が生じたことを検知して記憶することにより、その記憶に応じて電子機器を所定の状態に自動的に復帰させることができる。
【発明を実施するための最良の形態】
【００１４】
図１はこの発明が適用される電子機器の一例としての画像形成装置のブロック図である。図１において画像形成装置１０は、動作復帰手段としてのＣＰＵ１と、スキャナ部２と、振動検知センサ３と、ソレノイド４と、操作部５と、表示部６と、メモリ７と、印字部８と、清掃機構９とを含む。スキャナ部２は原稿の画像を読取るイメージセンサで構成されており、振動検知センサ３は画像形成装置１０が移動されたときに生じる振動を検知するものであり、現像ユニットや転写ユニットなどの周辺に配置される。ソレノイド４は振動検知センサ３が振動を検知した後、リセットするために設けられている。
【００１５】
操作部５はコピー用紙の選択や倍率などを設定するために操作され、表示部６は設定されたコピー用紙の大きさや倍率などを表示する。メモリ７はＣＰＵ１が動作するためのプログラムを記憶するとともにコピーされた画像データなどを記憶する。印字部８はコピーされた画像データなどを印字する。清掃機構９は現像機やトナー回収機構などからのトナーの飛散や、トナー落ちによる汚れを清掃するものである。
【００１６】
図２は図１に示した振動検知センサ３を示す図であり、（ａ）は振動子３１が直立している状態を示し、（ｂ）は振動子３１が転倒している状態を示す。図２において、振動センサ３は振動子３１と接触端子３２とを含む。接触端子３２はリング状に形成されて振動子３１の周囲に配置されており、抵抗Ｒを介して５Ｖの電圧が供給されている。振動子３１は円柱状に形成されていて、接地電位のベース３３に接続されており、振動が加えられると図２（ａ）に示す状態から図２（ｂ）に示すように振動子３１が転倒して接触端子３２に接触する。それにより接触端子３２は接地電位になって、振動が加わったものとして記憶され、ＣＰＵ１に接地電位が与えられる。
【００１７】
ＣＰＵ１は電源が投入されて、接触端子３２の電位を判別し、５Ｖの電位になっていれば振動が与えられておらず、接地電位になっていれば振動が加わったものと判別する。振動検知センサ３をリセットするときは図１に示したソレノイド４を駆動してカム３４を回転させてリンク機構３５を駆動することにより、振動子３１が起こされて直立し、接触端子３２から離れることにより、接触端子３２が５Ｖ電位に戻される。
【００１８】
図３はこの発明の一実施形態における振動検出後における復帰装置の動作を説明するためのフローチャートである。画像形成装置１０の電源が遮断されている状態において、移動などにより振動が加えられると、図２に示した振動検知センサ３の振動子３１が転倒して接触端子３２に接触して振動が加わったことが検出される。
【００１９】
電源が投入されると、接触端子３２に５Ｖの電圧が加えられるが、接地電位の振動子３１が転倒して接触端子３２に接触しているので、接触端子３２が接地電位になる。ＣＰＵ１はステップ（図示ではＳＰと略称する）ＳＰ１において電源が投入されたことを判別すると、ステップＳＰ２において振動の有無を検出するために、振動検知センサ３の通電状態を判別する。すなわち、ＣＰＵ１は振動検知センサ３の接触端子３２が５Ｖ電位であれば振動が加えられておらず、接地電位であれば振動が加えられたものと判別する。
【００２０】
振動が加えられたことが判別されると、ステップＳＰ３において清掃機構９により清掃処理が行われ、振動により現像機やトナー回収機構からワイヤーや搬送路や転写ベルトなどの中間転写体や分離チャージャなどに落ちたトナーが除去されて復帰動作が行われる。そして、ＣＰＵ１はステップＳＰ４において、ソレノイド４を駆動して図２に示すカム３４を回転させ、リンク機構３５を駆動して振動子３１を起こす。振動子３１を起こして直立させることにより、接触端子３２から離れるので振動検知センサ３がリセットされる。なお、ステップＳＰ２において、振動検知センサ３が振動を検知していなければ復帰動作を終了し、その後画像形成装置１０としての印刷などの通常動作に移行する。
【００２１】
上述のごとく、この実施形態によれば、画像形成装置１０を設置後に移動させたとき、もしくはジャム処理などにより現像機周辺に振動が与えられたとき、印刷開始前に清掃機構９を動作させるようにしたので、トナーの飛散やトナー落ちによる印刷用紙の汚れや、転写不良などの不具合を防ぐことができる。
【００２２】
また、画像形成装置１０を販売する場合、ユーザ先での作業を短時間で終わらせるため、装置をディーラでセットアップしてから搬入する場合がある。このような場合、現像ユニットだけをユーザ先でセットアップしたり、先にセットアップしておいた場合は設置後に清掃作業が必要であった。しかしながら、この発明を画像形成装置などに適用することで、これらの手間を省くことができる。
【００２３】
さらに、上述の実施形態では、電源遮断時に振動を検出し、振動が生じていることを電源投入後に判別して復帰動作させるようにしたが、これに限ることなく電源投入中に振動が加えられたことを検出して記憶し、印字動作前に振動のあったことが検出されれば、清掃機構９により清掃動作を行って、画像形成装置１０の動作を復帰させてもよい。
【００２４】
なお、振動検知センサ３として、振動が与えられたとき電圧を発生させるか、あるいは電流が流れる自家発電コイルを設けておき、コイルに発生した電圧あるいは流れる電流によりバックアップ装置を起動して振動を記録するようにしてもよい。
【００２５】
さらに、上述の実施形態では、この発明を画像形成装置１０に適用した例について説明したが、これに限ることなく、３次元測定器やその他の電子機器に適用してもよい。３次元測定器においては振動を検出したときはフルチェックを行い、振動を検知しなかったときは簡易チェックを行うようにすればよい。
【００２６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２７】
【図１】この発明が適用される画像形成装置のブロック図である。
【図２】図１に示した振動検知センサを示す図である。
【図３】この発明の一実施形態における振動検出後における復帰装置の動作を説明するためのフローチャートである。
【符号の説明】
【００２８】
１  ＣＰＵ、２  スキャナ部、３  振動検知センサ、４  ソレノイド、５  操作部、６  表示部、７  メモリ、８  印字部、３１  振動子、３２  接触端子、３３  ベース、３４  カム、３５  リンク機構。
【図１】
2005275039.tif 000003
【図２】
2005275039.tif 000004
【図３】
2005275039.tif 000005